(57)【要約】【目的】家庭や事業所、又は食堂、給食施設、食品加工所等からでる残飯等のごみを回収するまでの間烏猫犬鼠等の食害を防止するごみ捨て用袋容器の提供。【構成】生ごみ等を廃棄するためのごみ袋、又はごみ容器に廃棄する生ごみを収容し、前記袋、又は容器に烏、又は猫、又は犬、又は鼠等が近寄り、又は食い散らしを防止する手段を備えたことである。【参考図】図１
2004035252.tif 000002
【特許請求の範囲】
【請求項１】
生ごみ等を廃棄するためのごみ袋容器に、廃棄する生ごみを収容し、ごみ集積所に搬出した際、生ごみを収容した前記袋容器内の生ごみをあさりに来る烏、又は猫、又は犬、又は鼠等が近寄り、又は食い散らしを防止する手段を備えたことを特徴とするごみ袋容器。
【発明の詳細な説明】
【０００１】
【産業上の利用分野】
本発明は、家庭や事業所、又は食堂、又は給食施設、又は食品加工所等から出される残飯等の生ごみが回収されるまでの間に烏又は猫等による食い散らしを防止する袋容器に関するものである。
【０００２】
【従来の技術】
従来家庭や事業所、食堂、給食施設、食品加工所等から出る生ごみを廃棄する場合、自治体により使用する容器や袋、収集方法、処理方法等は異なるが、概ね、ごみ袋又は容器に生ごみを収容したものがごみ集積所に出され、これをごみ収集車によって収集し、処理場に運び処理している。
従って、ごみ集積所に出されてから、ごみ収集車によって回収搬出される迄の間、猫や鼠、犬、烏等が、生ごみが食い散らし、辺りを汚すことが社会的に大きな問題となっている。
【０００３】
これに対し、一部ではごみ集積所に出された袋や容器に入れた生ごみに、ネットの覆いを掛けて、生ごみの食いちらかしを防止する対策が講じられている。
この方法によれば、猫の害についてはネットの覆いによってある程度の成果を上げているものの、烏は学習能力が高いためネットに危険性が無いことが判ると、ネットの網目から嘴を入れて、ごみ袋を食い破り生ごみをあり食い散らす姿が増え、大きな社会問題となっている。
【０００４】
【発明が解決しようとする課題】
上記従来技術に鑑み本発明が解決しようとする課題は、ごみを集積所に出す場合、ネットの上げおろし等の操作が無く、簡単にごみ出しができると共に、ごみ集積所に常にネットが備え付けてあるため、ごみが集積所に搬入されていないときのネットが雑然として醜い景観をなしている。
従って、この醜い景観を排除し、烏の学習能力を持ってしても、生ごみを食い散らすことの無く、鳥獣による食い散らしを防止するごみ袋容器を提供することである。
【０００５】
【課題を解決するための手段】
本発明は、生ごみ等を廃棄するためのごみ袋容器に廃棄する前記生ごみを収容し、前記ごみ袋容器に烏、又は犬、又は鼠等が近寄り、又は食い散らしを防止する手段を備えた生ごみ廃棄用の前記ごみ袋容器である。
【０００６】
但し、ここに言う、食いちらかしを防止する手段とは、猫又は犬、又は鼠、又は烏等の動物が、ごみ集積所に搬入されたごみを兼気させ、ごみに近寄らせないことである。
【０００７】
【発明の実施の形態】
紙製のごみ袋容器１を構成する処の用材４の素材に、烏の兼気する匂いを漉き込み、用材１を袋状に形成し、外部から烏の兼気する匂いを烏等が嗅覚によって感知し近づくことのないように構成してある。
【０００８】
この場合、烏等が兼気する匂いとして、化学的薬品を調合してを用いることも可能であるが、又、他に公害又は人間に対する悪臭となる恐れの無い、煙、又は木酢液、又は竹酢液、又は燃え残りのおが屑等を用いることも可能であり、烏等を対象にした実験の結果、特にタバコの吸い殻の匂いを用いることが望ましい。
【０００９】
紙、又は、合成樹脂を素材として用いるごみの袋容器１に、烏の兼気する匂いを混入させたインキを用い、袋容器１の表面６に、印刷３を施すことも可能であり、この場合、烏その他の動物等が兼気する色合いのインキを用いることも可能である。
【００１０】
紙、又は、合成樹脂のフィルムを素材とするごみ袋容器１に、烏の兼気する匂いを噴霧、又は、塗付して烏の兼気するごみ袋を構成することも可能である。
【００１１】
【実施例】
以下本発明の実施例について説明すると、（図１）ごみ袋容器１を形成する用材４を構成する素材を形成するに於いて、烏等の鳥類、又は犬又は猫又は鼠等の獣類（以下動物等と言う）が兼気する匂いのする兼気物質を混入させ、近膀の動物等の兼気を誘う様に形成した素材を用材４として、ごみ捨て用の袋容器１を構成する。
【００１２】
この時、用材４を形成する素材はパルプ又は再生紙その他植物繊維等を用いることも可能で、兼気物質を出来るかぎり長期的に保持しつつ、揮散させるように構成することが好ましく、例えば以下本実施例のほんの一例であるが、動物等が兼気する匂いを染み込ませた匂い保持部材２を形成するにあたり、例えば（図２）チップ状に構成しても良く、更には粒状又は粉体又は繊維状の兼気物質を、用材４内に混在するように用材４を漉き上げて構成することもできる。
【００１３】
又は、用材４を漉く場合、破砕された紙の原料に直接、兼気物質を混入して漉き上げることもでき、更に、破砕された紙の原料を漉き時に於いて水中に漂わせる際、この用水に兼気物質を混入して紙を漉くことも可能で、以上のように形成された紙を用材４としてごみ捨て用の袋容器１はを構成することもできる。
【００１４】
この場合、兼気物質は化学薬品等を調合し、煙又は物の燃える匂い、又は刺激臭、又は天敵の匂い等動物等が兼気する臭を構成してもよく、実験の結果特に、タバコの吹殻がを用いると烏、猫、犬等が全く近寄らないことが判明した。
従って、鉄道の駅、病院の待合室、その他、多くの人の集まる場所から投棄されるタバコの吸い殻を利用することで、環境保護にもつながり、有効である。
又環境に影響を与えないために木酢液、竹酢液、種々の植物、建築廃材、木工廃材その他の廃材等を蒸焼して動物等が兼気する匂の兼気物質を構成することも可能である。
【００１５】
従って、ごみ捨て用の袋容器１から動物等の兼気する匂いが発散される結果、複数の家庭や、事業所から出されるごみの袋容器１はある程度多量となるから、その分動物等の兼気する匂いも強くなり、ごみ集積所のごみに動物等は近寄ることが無くなり、依って、集積所に出されたごみ等を動物等が食い散らすことは全く、更に、生ごみといに覆い掛けるネットも必要が無く、従って、ごみ集積所にごみが搬入されていない状態に於ける、ネットの雑然とした醜い景観は存在しないことである。
【００１６】
本発明の第２実施例（図３）に於いては、紙又は合成樹脂フィルム等を用材４として用い構成されるごみ捨て用袋容器１の表面６に、動物等の兼気する匂いをインキに混入し、このインキを用いて袋容器１の表面６に印刷３等を施すこともできるもので、第１実施例と同様の効果を得ることができる他、宣伝等の広告媒体として用いることも可能で、これをビジネス展開すれば、広告代金収入が見込まれ、不況下財源収入が逼迫する地方自治体の収入源として、活用することもが見込まれる等の効果がある。
【００１７】
本発明の第３実施例（図４）に於いては、ごみ捨て用袋容器１を形成するに際し、用材４となる紙を積層貼着するための粘着剤又は接着剤（以下粘着剤等５と言う）に動物等が兼気する匂いの兼気物質を混入し、この粘着剤等５を用いてごみ捨て用の袋容器１を構成する用材４を複数積層し、袋容器１を形成することも可能で、他の実施例と同様動物等が兼気する匂いが、袋容器１の用材４から浸出し漂うため、ごみを動物等が食い散らすことは全くない。
【００１８】
【発明の効果】
上記のごとく、本発明によればごみ捨て用袋容器１に犬、猫、烏、鼠等動物等が兼気する匂いを発散させることにより、取り扱いが簡単で、製造コストも低く、烏の学習能力をもってしても食いちらかすことは無く、鳥獣による食いちらかしの害を完全に防止することができ、ごみ集積所にごみの無い状態に於いて、ネットによる雑然とした醜い景観も排除することができるものである。
【図面の簡単な説明】
【図１】本発明のごみ袋容器を示す斜視図である。
【図２】本発明のごみ袋容器を構成する用材の一部を拡大した平面図である。
【図３】本発明の第２実施例を示す斜視図である。
【図４】本発明の第３実施例を示す一部切り欠きの斜視図である。
【符号の説明】
１　袋容器
２　匂い保持部材
３　印刷
４　用材
５　固着層
６　表面
【図１】
2004035252.tif 000003
【図２】
2004035252.tif 000004
【図３】
2004035252.tif 000005
【手続補正書】
【提出日】平成14年9月19日(2002.9.19)
【手続補正１】
【補正対象書類名】明細書
【補正対象項目名】図４
【補正方法】削除
【補正の内容】
【手続補正書】
【提出日】平成14年10月11日(2002.10.11)
【手続補正１】
【補正対象書類名】明細書
【補正対象項目名】００１４
【補正方法】変更
【補正の内容】
【００１４】
この場合、兼気物質は化学薬品等を調合し、煙または物の燃える匂い、又は刺激臭。又は天敵の匂い等動物が兼気する臭いを構成してもよく、実験の結果特に、タバコの吸殼を用いると鳥、猫、犬等が全く近寄らないことが判明した。従って鉄道の駅、病院の待合室、その他、多くの人の集まる場所から投棄されるタバコの吸殻を利用することで、環境保護にもつながり、有効である。
その他、透明性のニスとそのうすめ液を混合させた成分を使用することも効果的である。
又、環境に影響を与えないために木酢液、竹酢液、種々の植物、建材廃材、木工廃材その他の廃材等を蒸焼して動物等が兼気する匂いの兼気を構成する物質を構成することも可能である。